(57)【要約】【課題】穏やかさや安らぎを与えることができるイルミネーション装置を提供する。【解決手段】複数の白色ＬＥＤ光源１と、複数の有色ＬＥＤ光源２〜８と、複数の有色ＬＥＤ光源２〜８で構成される有色光源列１１中に、複数の白色ＬＥＤ光源１のそれぞれが予め定められた配置パターンに従って組み込まれた光源列を保持する光源列ガイドとしてのシース管２０と、を備えている。【選択図】図１
0003162826.tif 000002
【実用新案登録請求の範囲】
【請求項１】
複数のＬＥＤ（Light Emitting Diode）光源を備えているイルミネーション装置において、
複数の白色ＬＥＤ光源と、
複数の有色ＬＥＤ光源と、
複数の前記有色ＬＥＤ光源で構成される有色光源列中に、複数の前記白色ＬＥＤ光源のそれぞれが予め定められた配置パターンに従って組み込まれた有色/白色光源列を保持する光源列保持部材と、
を備えていることを特徴とするイルミネーション装置。
【請求項２】
請求項１に記載のイルミネーション装置において、
前記予め定められた配置パターンは、予め定められた数量の前記有色ＬＥＤ光源毎に、前記白色ＬＥＤ光源が配置されているパターンである、
ことを特徴とするイルミネーション装置。
【請求項３】
請求項１又は２に記載のイルミネーション装置において、
複数の前記有色ＬＥＤ光源には、色相が互いに異なる複数種類の有色ＬＥＤ光源が含まれており、前記有色光源列で隣り合う前記有色ＬＥＤ光源は、互いに色相の異なる有色ＬＥＤ光源である、
ことを特徴とするイルミネーション装置。
【請求項４】
請求項３に記載のイルミネーション装置において、
前記有色光源列は、予め定められた色相パターンで色相が変化する、
ことを特徴とするイルミネーション装置。
【請求項５】
請求項４に記載のイルミネーション装置において、
前記予め定められた色相パターンは、波長が短い色相から、段階的に、波長が長い波長に順次変化するパターンを含む、
ことを特徴とするイルミネーション装置。
【請求項６】
請求項５に記載のイルミネーション装置において、
前記複数種類の有色ＬＥＤ光源には、紫色ＬＥＤ光源と、オレンジ色ＬＥＤ光源と、紫色よりも波長が長くオレンジ色よりも波長が短くて色相が互いに異なる複数の中間有色ＬＥＤ光源と、が含まれ、
前記紫色ＬＥＤ光源、前記オレンジ色ＬＥＤ光源、前記複数の中間有色ＬＥＤ光源を有して構成されるに有色光源列は、前記予め定められた色相パターンで色相が変化し、虹色光源列を形成する、
ことを特徴とするイルミネーション装置。
【請求項７】
請求項６に記載のイルミネーション装置において、
前記虹色光源列を複数備え、
複数の前記虹色光源列は一列に並んでいる、
ことを特徴とするイルミネーション装置。
【請求項８】
請求項７に記載のイルミネーション装置において、
複数の前記虹色光源列の間に、ピンク色ＬＥＤ光源が配置されている、
ことを特徴とするイルミネーション装置。
【請求項９】
請求項１に記載のイルミネーション装置において、
前記予め定められた配置パターンは、前記有色光源列を構成する複数の前記有色ＬＥＤ光源の色特性に応じて定めたパターンである、
ことを特徴とするイルミネーション装置。
【請求項１０】
請求項１から９のいずれか一項に記載のイルミネーション装置において、
前記光源列保持部材は、複数の前記白色ＬＥＤ光源及び複数の前記有色ＬＥＤ光源のそれぞれに電力を供給するための可撓性を有するリード線を含む、
ことを特徴とするイルミネーション装置。
【請求項１１】
請求項１０に記載のイルミネーション装置において、
前記光源列保持部材は、可撓性を有し、前記有色/白色光源列に沿って伸び、隣り合うＬＥＤ光源の相互間隔を保持する間隔保持部を備えている光源列ガイド部材を有する、
ことを特徴とするイルミネーション装置。
【請求項１２】
請求項１１に記載のイルミネーション装置において、
前記光源列ガイド部材は、可撓性を有する筒状のシース管であり、
前記シース管には、該シース管の長手方向に沿って、該シース管の外側から内側へ貫通し、前記ＬＥＤ光源から伸びるリード線が該シース管内に入り込む複数の貫通孔が形成され、
複数の前記貫通孔が前記間隔保持部を成している、
ことを特徴とするイルミネーション装置。
【請求項１３】
請求項１１に記載のイルミネーション装置において、
前記光源列ガイド部材は、可撓性を有し、前記有色/白色光源列に沿って伸び、互いの間に複数のＬＥＤ光源から伸びるリード線を挟み込む一対の帯状シートであり、
前記一対の帯状シートのうち、少なくとも一方の帯状シートの一面には粘着剤が施されている、
ことを特徴とするイルミネーション装置。
【請求項１４】
請求項１１に記載のイルミネーション装置において、
前記光源列ガイド部材は、可撓性を有し、前記有色/白色光源列に沿って伸びる帯状のガイド本体と、ＬＥＤ光源を保持する複数の光源保持体と、とを備え、
前記複数の光源保持体は、帯状の前記ガイド本体の長手方向に沿い、且つ所定の間隔で該ガイド本体に設けられ、前記間隔保持部を成している、
ことを特徴とするイルミネーション装置。
【請求項１５】
請求項１１に記載のイルミネーション装置において、
前記光源列ガイド部材は、弾性変形可能でスパイラル状を成している、
ことを特徴とするイルミネーション装置。
【請求項１６】
請求項１から１５のいずれか一項に記載のイルミネーション装置において、
複数の前記白色ＬＥＤ光源のそれぞれに電力を供給する白色電源制御部と、
複数の前記有色ＬＥＤ光源のそれぞれに電力を供給する有色電源制御部と、
を備え、
前記白色電源制御部は、複数の前記白色ＬＥＤ光源のそれぞれの色味の変化を抑える電力制御を行う、
ことを特徴とするイルミネーション装置。
【考案の詳細な説明】
【技術分野】
【０００１】
本考案は、複数のＬＥＤ（Light Emitting Diode）光源を備えているイルミネーション装置に関する。
【背景技術】
【０００２】
複数のＬＥＤ光源を備えているイルミネーション装置としては、例えば、以下の特許文献１に記載の装置がある。このイルミネーション装置では、赤、青、緑等、様々な有色ＬＥＤ光源を組み合わせて、装飾性を高めている。
【先行技術文献】
【特許文献】
【０００３】
【特許文献１】特開２００９−１３１４２３号公報  （〔０００９〕）
【考案の概要】
【考案が解決しようとする課題】
【０００４】
上記特許文献１に記載のイルミネーション装置では、確かに、赤、青、緑等、様々な有色ＬＥＤ光源を組み合わせことで、設置環境によっては、装飾性や審美性が高まり、見る者に高揚感を与えることができる。しかしながら、設置環境によっては、装飾性や審美性を求めつつも、見る者に高揚感を与えない方が好ましい場合、例えば、穏やかさや安らぎ等を与えた方が好ましい場合もある。
【０００５】
そこでは、本考案は、穏やかさや安らぎを与えることができるイルミネーション装置を提供することを目的とする。
【課題を解決するための手段】
【０００６】
前記目的を達成するための考案に係るイルミネーション装置は、
複数のＬＥＤ光源を備えているイルミネーション装置において、複数の白色ＬＥＤ光源と、複数の有色ＬＥＤ光源と、複数の前記有色ＬＥＤ光源で構成される有色光源列中に、複数の前記白色ＬＥＤ光源のそれぞれが予め定められた配置パターンに従って組み込まれた有色/白色光源列を保持する光源列保持部材と、を備えていることを特徴とする。
【０００７】
当該イルミネーション装置では、有色光源列の中に、予め定められたパターンで白色ＬＥＤ光源が配置されているため、この有色光源列を一定の距離を置いて見る者にとって、この有色光源列の色合いが全体として淡い色合いとして見ることができる。
【０００８】
ここで、前記イルミネーション装置において、前記予め定められた配置パターンは、予め定められた数量の前記有色ＬＥＤ光源毎に、前記白色ＬＥＤ光源が配置されているパターンであってもよい。
【０００９】
また、前記イルミネーション装置において、複数の前記有色ＬＥＤ光源には、色相が互いに異なる複数種類の有色ＬＥＤ光源が含まれており、前記有色光源列で隣り合う前記有色ＬＥＤ光源は、互いに色相の異なる有色ＬＥＤ光源であってもよい。
【００１０】
当該イルミネーション装置では、色相が多岐に渡っているため、このイルミネーション装置に対する距離に応じて見え方が変化し、演出的な効果を挙げることができる。色覚障害者等、有色光源列を構成する色のうち、特定の色を認識しにくい人であっても、有色光源列中に白色を入れることで、明度差が生まれ、特定の色の存在を認識し易くすることができる。また、有色光源列中に白色を入れることで、信号機の誤認等を避けることができるため、街路を含む市街地の広くで利用することできる。
【００１１】
また、前記イルミネーション装置において、前記有色光源列は、予め定められた色相パターンで色相が変化してもよい。この場合、前記予め定められた色相パターンは、波長が短い色相から、段階的に、波長が長い波長に順次変化するパターンを含んでもよい。
【００１２】
当該イルミネーション装置では、見るものの移動に応じて、色相が流れるように変化し、演出的な効果を挙げることができる。
【００１３】
また、前記イルミネーション装置において、前記複数種類の有色ＬＥＤ光源には、紫色ＬＥＤ光源と、オレンジ色ＬＥＤ光源と、紫色よりも波長が長くオレンジ色よりも波長が短くて色相が互いに異なる複数の中間有色ＬＥＤ光源と、が含まれ、前記紫色ＬＥＤ光源、前記オレンジ色ＬＥＤ光源、前記複数の中間有色ＬＥＤ光源を有して構成されるに有色光源列は、前記予め定められた色相パターンで色相が変化し、虹色光源列を形成してもよい。
【００１４】
当該イルミネーション装置でも、虹色光源列を有しているため、見るものの移動に応じて、色相が流れるように変化し、演出的な効果を挙げることができる。また、当該イルミネーション装置では、虹色光源列を構成する各有色ＬＥＤ光源のうち、最も波長の長い色を発するＬＥＤ光源として、オレンジ色ＬＥＤ光源を採用し、可視光中で長い波長の代表である赤色を採用していないため、過激な印象を抑える効果、言い換えると、穏やかな印象を与える効果を奏することができる。これは、その色自体が過激な印象を与え、且つ虹色光源列を構成する各有色のうちで緑の補色である赤を採用していないからである。
【００１５】
また、前記イルミネーション装置において、前記虹色光源列を複数備え、複数の前記虹色光源列は一列に並んでいてもよい。この場合、複数の前記虹色光源列の間に、ピンク色ＬＥＤ光源が配置されていてもよい。
【００１６】
このように、虹色光源列の間にピンク色ＬＥＤ光源を配置すると、ある虹色光源列の最後尾の色であるオレンジ色と、この虹色光源列に隣接する他の虹色光源列の最前列の紫色との間に、両色の中間的な色合いのピンク色を配置することになるので、より穏やかな印象を与える効果を奏する。
【００１７】
また、前記イルミネーション装置において、前記予め定められた配置パターンは、前記有色光源列を構成する複数の前記有色ＬＥＤ光源の色特性に応じて定めたパターンであってもよい。
【００１８】
また、前記イルミネーション装置において、前記光源列保持部材は、複数の前記白色ＬＥＤ光源及び複数の前記有色ＬＥＤ光源のそれぞれに電力を供給するための可撓性を有するリード線を含んでいてもよい。
【００１９】
このように、光源列保持部材を、可撓性を有するリード線を含んで構成すると、別途、光源列保持部材を設ける必要がなく、コストを抑えることができる。
【００２０】
また、前記イルミネーション装置において、前記光源列保持部材は、可撓性を有し、前記有色/白色光源列に沿って伸び、隣り合うＬＥＤ光源の相互間隔を保持する間隔保持部を備えている光源列ガイド部材を有していてもよい。
【００２１】
ここで、前記光源列ガイド部材は、可撓性を有する筒状のシース管であり、前記シース管には、該シース管の長手方向に沿って、該シース管の外側から内側へ貫通し、前記ＬＥＤ光源から伸びるリード線が該シース管内に入り込む複数の貫通孔が形成され、複数の前記貫通孔が前記間隔保持部を成している、ものであってもよい。
【００２２】
当該光源列ガイド部材がシース管であり、各ＬＥＤ光源から伸びるリード線をシース管内に収めることができるので、当該光源列ガイド部材は、雨が降る外環境での使用に好適であるばかりか、何らかの外力がリード線に加わる恐れがある環境での使用に好適である。
【００２３】
また、前記光源列ガイド部材は、可撓性を有し、前記有色/白色光源列に沿って伸び、互いの間に複数のＬＥＤ光源から伸びるリード線を挟み込む一対の帯状シートであり、前記一対の帯状シートのうち、少なくとも一方の帯状シートの一面には粘着剤が施されている、ものであってもよい。
【００２４】
当該光源列ガイド部材では、光源列ガイド部材自体の構成が簡易であるため、コストを抑えることができる。また、各ＬＥＤ光源から伸びるリード線を一対の帯状シート間に挟み込むので、当該光源列ガイド部材は、雨が降る外環境での使用に好適である。
【００２５】
また、前記光源列ガイド部材は、可撓性を有し、前記有色/白色光源列に沿って伸びる帯状のガイド本体と、ＬＥＤ光源を保持する複数の光源保持体と、とを備え、前記複数の光源保持体は、帯状の前記ガイド本体の長手方向に沿い、且つ所定の間隔で該ガイド本体に設けられ、前記間隔保持部を成している、ものであってもよい。
【００２６】
また、前記光源列ガイド部材は、弾性変形可能でスパイラル状を成している、ものであってもよい。
【００２７】
当該光源列ガイド部材は、各ＬＥＤ光源から伸びるリード線をスパイラル内に収めることができるので、何らかの外力がリード線に加わる恐れがある環境での使用に好適である。また、当該光源列ガイド部材では、光源列ガイド部材自体の構成が簡易であるため、コストを抑えることができる。
【００２８】
また、前記イルミネーション装置において、複数の前記白色ＬＥＤ光源のそれぞれに電力を供給する白色電源制御部と、複数の前記有色ＬＥＤ光源のそれぞれに電力を供給する有色電源制御部と、を備え、前記白色電源制御部は、複数の前記白色ＬＥＤ光源のそれぞれの色味の変化を抑える電力制御を行ってもよい。
【００２９】
当該イルミネーション装置では、ＬＥＤ光源に求められている色を忠実に再現することができる。
【考案の効果】
【００３０】
本考案では、有色光源列の中に、予め定められたパターンで白色ＬＥＤ光源が配置されているため、この有色光源列を一定の距離を置いて見る者にとって、この有色光源列の色合いが全体として淡い色合いとして見ることができる。よって、本考案によれば、見る者に穏やかさや安らぎを与えることができる。
【図面の簡単な説明】
【００３１】
【図１】本考案に係る一実施形態におけるイルミネーション装置の構成を示す説明図である。
【図２】本考案に係る一実施形態におけるイルミネーション装置の回路ブロック図である。
【図３】本考案に係る一実施形態のＬＥＤ光源の配列パターンの変形例を示す説明図である。
【図４】本考案に係る一実施形態における光源列ガイド部材の第一変形例を示す説明図である。
【図５】本考案に係る一実施形態における光源列ガイド部材の第二変形例を示す説明図である。
【図６】本考案に係る一実施形態における光源列ガイド部材の第三変形例を示す説明図である。
【考案を実施するための形態】
【００３２】
以下、本考案に係る実施形態としてのイルミネーション装置について、図面を用いて説明する。
【００３３】
「イルミネーション装置の実施形態」
まず、図１及び図２を用いて、本実施形態のイルミネーション装置について説明する。
【００３４】
本実施形態のイルミネーション装置は、図１に示すように、複数の白色ＬＥＤ光源１と、複数種類の有色ＬＥＤ光源２〜８と、これらのＬＥＤ光源１〜８が列を成して並ぶよう光源列を保持するシース管２０と、ＬＥＤ光源１〜８に電力を供給すると共にＬＥＤ光源１〜８のＯＮ/ＯＦＦの制御を行うコントローラ３０と、を備えている。
【００３５】
有色ＬＥＤ光源２〜８としては、紫色ＬＥＤ光源３、青色ＬＥＤ光源４、緑色ＬＥＤ光源５、黄緑色ＬＥＤ光源６、黄色ＬＥＤ光源７、オレンジ色ＬＥＤ光源８、ピンク色ＬＥＤ光源２がある。紫色ＬＥＤ光源３、青色ＬＥＤ光源４、緑色ＬＥＤ光源５、黄緑色ＬＥＤ光源６、黄色ＬＥＤ光源７、オレンジ色ＬＥＤ光源８は、この順で、言い換えると、波長の短いものから順に列を成して並び、虹色光源列１２を成している。ピンク色ＬＥＤ光源２は、この虹色光源列１２の端に配置され、虹色光源列１２と併せて、有色光源列１１を成している。本実施形態のイルミネーション装置は、この有色光源列１１を複数有し、各有色光源列１１が直列的に並んでいる。なお、ここでは、虹色光源列１２を６色で構成しているが、さらに多くの色、逆に少ない色で構成してもよい。
【００３６】
複数の白色ＬＥＤ光源１のそれぞれは、有色光源列１１の中に、二つの有色ＬＥＤ光源毎に配置されている。なお、ここでは、二つの有色ＬＥＤ光源毎に白色ＬＥＤ光源１を配置しているが、三つ以上の有色ＬＥＤ光源２〜８毎に白色ＬＥＤ光源１を配置してもよいし、一つの有色ＬＥＤ光源２〜８毎に白色ＬＥＤ光源１を配置してもよい。
【００３７】
シース管２０は、可撓性を有し且つ絶縁性を有する樹脂を有して形成されている。このシース管２０には、このシース管２０の長手方向に沿って、シース管２０の外側から内側へ貫通する複数の貫通孔２１が等間隔で形成されている。隣り合う二つの貫通孔２１の間隔は、１０ｃｍ〜２０ｃｍである。
【００３８】
コントローラ３０は、図２に示すように、商用電源からの電力を定電圧電力に変換する主電源回路３１と、複数の有色ＬＥＤ光源２〜８のそれぞれに電力を供給する有色電源制御回路３２と、複数の白色ＬＥＤ電源１のそれぞれに電力を供給する白色電源制御回路３３と、操作盤３５と、操作盤３５の操作内容に応じて有色電源制御回路３２及び白色電源制御回路３３を駆動制御する制御回路３４と、を有している。
【００３９】
複数の白色ＬＥＤ光源１は、それぞれが並列に白色電源制御回路３３とリード線で接続されている。また、複数の有色ＬＥＤ光源２〜８は、４つの有色ＬＥＤ光源で構成される複数の組が並列に有色電源制御回路３２とリード線で接続されている。組を構成する４つの有色ＬＥＤ光源は、リード線により直列接続されている。
【００４０】
白色ＬＥＤ光源１は、互いに補色関係にある色を発する二つのＬＥＤ素子の組み合わせ、互いに光の三原色の関係にある色を発する三つのＬＥＤ素子の組み合わせ、又は、複数の蛍光体を有するＬＥＤ素子等で、構成されている。また、このため、白色ＬＥＤ光源１は、各色の発光量等のバランスが崩れると、色味を帯びて、白色に見えないことがある。一方、有色ＬＥＤ光源２〜８は、例えば、互いに発光色が異なる複数のＬＥＤ素子の組み合わせで構成されている場合で、各色の発光量等のバランスが多少崩れ、色相が多少変化しても、人間の目には当初の目的の色と変わりなく見える。
【００４１】
そこで、本実施形態では、白色電源制御回路３３に対して、複数の白色ＬＥＤ光源１をそれぞれ並列接続し、各白色ＬＥＤ光源１に目的の電力が正確に供給されるようにしている。具体的に、白色電源制御回路３３は、各白色ＬＥＤ光源１毎に設けられた制限抵抗を有している。また、各白色ＬＥＤ光源１の明るさを操作盤３５からの指示に応じて変える場合や、各白色ＬＥＤ光源１を点滅させる場合には、このような変化による色味の変化を抑えるため、白色電源制御回路３３は、例えば、特開２００５−１３５９０９号公報や、特開２００８−７７８９２号公報に記載されているように、各白色ＬＥＤ光源１をパルス駆動し、パルス駆動におけるデューティー比を操作盤３５からの指示に応じて変えるＰＷＭ制御部を有していることが好ましい。
【００４２】
なお、本実施形態のコントローラ３０は、操作盤３５の操作内容に応じて有色電源制御回路３２及び白色電源制御回路３３を駆動制御する制御回路３４を有しているが、操作盤３５には、単に、各ＬＥＤ光源１〜８のＯＮ/ＯＦＦスイッチのみが設けられている場合には、このスイッチの信号が有色電源制御回路３２及び白色電源制御回路３３に入力されるようにすれば、コントローラ３０が制御回路３４を有している必要はない。
【００４３】
また、本実施形態では、複数の白色ＬＥＤ光源１のそれぞれに対して、目的の電力が極めて正確に供給されるようにするため、複数の白色ＬＥＤ光源１の一つずつを白色電源制御回路３３に対して並列接続しているが、複数の白色ＬＥＤ光源１のそれぞれに対して、目的の電力が妥当なレベルで供給されてもよい場合には、２〜３個の白色ＬＥＤ光源１を組とし、白色電源制御回路３３に対して各組を並列接続してもよい。また、本実施形態では、４つの有色ＬＥＤ光源を組とし、有色電源制御回路３２に対して各組を並列接続しているが、５以上の多数の有色ＬＥＤ光源を組とし、有色電源制御回路３２に対して各組を並列接続してもよい。
【００４４】
各ＬＥＤ光源１〜８は、シース管２０の貫通孔２１に装着され、各ＬＥＤから伸びるリード線は、シース管２０内を通って、コントローラ３０に接続されている。なお、ここでは、シース管２０に、単なる貫通孔２１を形成しているが、ＬＥＤ光源のリード線が通る貫通孔２１に、ＬＥＤ光源を着脱可能に保持するソケットを設けてもよい。
【００４５】
以上のように、本実施形態では、有色光源列１１の中に、予め定められたパターンで白色ＬＥＤ光源１が配置されているため、この有色光源列１１を一定の距離を置いて見る者にとって、この有色光源列１１の色合いが全体として淡い色合いとして見ることができ、言い換えると全体としてパステルカラーとして見ることができる。このため、本実施形態では、見る者に穏やかさや安らぎを与えることができる。よって、本実施形態のイルミネーション装置は、病院等の医療機関や保育園等の児童施設を装飾する場合や、街頭を穏やかな感じで装飾したい場合に好適である。
【００４６】
また、本実施形態のイルミネーション装置は、白色ＬＥＤ光源１と複数種類の有色ＬＥＤ光源２〜８とを有し、各色の波長が多岐に、言い換えると色相が多岐に渡っているため、このイルミネーション装置に対する距離に応じて見え方が変化し、演出的な効果を挙げることができる。
【００４７】
さらに、本実施形態のイルミネーション装置は、虹色光源列１２を有しているため、見るものの移動に応じて、色相が流れるように変化する点でも、演出的な効果を挙げることができる。
【００４８】
また、本実施形態では、虹色光源列１２を構成する各有色ＬＥＤ光源３〜８のうち、最も波長の長い色を発するＬＥＤ光源として、オレンジ色ＬＥＤ光源を採用し、可視光中で長い波長の代表である赤色を採用していないため、過激な印象を抑える効果、言い換えると、穏やかな印象を与える効果を奏することができる。これは、その色自体が過激な印象を与え、且つ虹色光源列１２を構成する各有色のうちで緑の補色である赤を採用していないからである。さらに、本実施形態では、虹色光源列１２と虹色光源列１２との間に、言い換えると、虹色光源列１２の最後尾の色であるオレンジ色と、虹色光源列１２の最前列の紫色との間に、両色の中間的な色合いのピンク色を配しているので、より穏やかな印象を与える効果を奏する。
【００４９】
また、本実施形態では、光源列ガイド部材としてシース管２０を用い、各ＬＥＤ光源から伸びるリード線をこのシース管２０内に収めることができるので、雨が降る環境や、何らかの外力がリード線に加わる恐れがある環境での使用に好適である。
【００５０】
なお、本実施形態では、有色光源列１１中に虹色光源列１２が含まれ、色相を段階的に順次変化させているが、色相を段階的に順次変化させずに、赤系、緑系、青系の各色で有色光源列を成してもよい。この場合、色覚障害者等、有色光源列を構成する色のうち、特定の色を認識しにくい人であっても、有色光源列中に白色を入れることで、明度差が生まれ、特定の色の存在を認識し易くすることができる。また、有色光源列中に白色を入れることで、信号機の誤認等を避けることができるため、街路を含む市街地の広くで利用することできる。
【００５１】
「白色ＬＥＤ光源及び有色ＬＥＤ光源の配列パターンの変形例」
次に、図３を用いて、白色ＬＥＤ光源１及び有色ＬＥＤ光源２〜８の配列パターンの変形例について説明する。
【００５２】
まず、図３（Ａ）を用いて、配列パターンの第一変形例について説明する。
【００５３】
本変形例のイルミネーション装置は、複数の単一色ＬＥＤ光源９と複数の白色ＬＥＤ光源１とを備えている。単一色ＬＥＤ光源は、例えば、赤色ＬＥＤ光源である。
【００５４】
複数の有色ＬＥＤ光源９は、第一実施形態と同様、有色光源列１１ａを成している。白色ＬＥＤ光源１は、この有色光源列１１ａの中に、三つの有色ＬＥＤ光源９毎に配置されている。なお、ここでは、三つの有色ＬＥＤ光源９毎に白色ＬＥＤ光源１を配置しているが、四つ以上の有色ＬＥＤ光源９毎に白色ＬＥＤ光源１を配置してもよいし、一つ又は二つの有色ＬＥＤ光源９毎に白色ＬＥＤ光源１を配置してもよい。
【００５５】
このように、有色光源列１１ａが単一色のＬＥＤ光源９で構成されている場合でも、上記実施形態と同様、有色光源列１１ａの中に、白色ＬＥＤ光源１が配置されているため、この有色光源列１１ａを一定の距離を置いて見る者に対して、穏やかさや安らぎを与えることができる。
【００５６】
また、この有色光源列１１ａを近距離で見る者に対しては、単に、単一色のみで光源列を成すよりも、単一色の有色光源列１１ａ中に、白色ＬＥＤ光源１を配置することで、単一色をより明瞭に認識させることができる。このため、単一色の有色光源列１１ａと白色ＬＥＤ光源１との組み合わせは、夜間の災害現場や事故現場を示す場合に好適である。
【００５７】
次に、図３（Ｂ）を用いて、配列パターンの第二変形例について説明する。
【００５８】
本変形例のイルミネーション装置は、互いに明度が異なる複数種類の有色ＬＥＤ光源２ｂ〜８ｂと複数の白色ＬＥＤ光源１とを備えている。
【００５９】
複数種類の有色ＬＥＤ光源２ｂ〜８ｂは、明度の低いものから順に並んで有色光源列１１ｂを成している。白色ＬＥＤ光源１は、有色光源列１１ｂを構成する有色光源ＬＥＤ２ｂ〜８ｂのうち、明度の低いグループに属する有色光源ＬＥＤ２ｂ，３ｂで構成される列では、例えば、一つの有色ＬＥＤ光源毎に配置され、相対的に明度の高いグループに属する有色光源ＬＥＤ４ｂ，５ｂ，６ｂ，７ｂ，８ｂで構成される列では、例えば、二つ以上の有色ＬＥＤ光源毎に配置されている。すなわち、白色ＬＥＤ光源１は、有色光源列１１ｂで明度が高くなるほど、間に入る有色光源ＬＥＤの数が少なくなるよう配置されている。
【００６０】
次に、図３（Ｃ）を用いて、配列パターンの第三変形例について説明する。
【００６１】
本変形例のイルミネーション装置は、複数種類の有色ＬＥＤ光源２ｃ〜６ｃ，９と複数の白色ＬＥＤ光源１とを備えている。
【００６２】
複数種類の有色ＬＥＤ光源２ｃ〜６ｃ，９で構成される有色光源列１１ｃは、色配列に関してパターン性がなくランダムに配列されている。複数の白色ＬＥＤ光源１は、特定色の有色ＬＥＤ光源９、例えば、赤色ＬＥＤ光源の隣に配置されている。このため、隣り合う二つの白色ＬＥＤ光源１の間に入る有色光源ＬＥＤの数が一つの場合もあれば、２つ、３つ、さらにはそれ以上の場合もある。
【００６３】
以上、第二変形例及び第三変形例に示すように、有色光源列中に、白色ＬＥＤ光源１を配置するパターンは、予め定められた数量の有色ＬＥＤ光源毎に白色ＬＥＤ光源１を配置するパターンでなくてもよく、有色光源列を構成する複数の有色ＬＥＤ光源の色特性に応じて定めたパターンであってもよい。
【００６４】
「光源列ガイド部材の変形例」
上記実施形態では、光源列を保持するための光源列ガイド部材としてシース管２０を用いたが、以下では、この光源列ガイド部材の各変形例について、図４〜図６を用いて説明する。
【００６５】
まず、図４を用いて、光源列ガイド部材の第一変形例について説明する。
【００６６】
本変形例の光源列ガイド部材は、可撓性を有する一対の帯状シート２３，２４を有して構成されている。一対の帯状シート２３，２４は、粘着剤を介して互いに張り合わされている。
【００６７】
この一対の帯状シート２３，２４を光源列ガイド部材として利用する際には、まず、一方の帯状シート２３から他方の帯状シート２４を引き剥がす。そして、引き剥がしたいずれかの帯状シート２３上の粘着剤に、ＬＥＤ光源のリード線を、又はＬＥＤ光源のリード線と当該ＬＥＤ光源の一部とを貼り付けた後、一対の帯状シート２３，２４相互を再び張り合わせる。すなわち、一対の帯状シート２３，２４の間に、ＬＥＤ光源のリード線を、又はＬＥＤ光源のリード線と当該ＬＥＤ光源の一部とを配置する。この結果、ＬＥＤ光源は、一対の帯状シート２３，２４間に保持される。
【００６８】
本変形例では、光源列ガイド部材自体の構成が簡易であるため、コストを抑えることができる。また、各ＬＥＤ光源から伸びるリード線を一対の帯状シート間に挟み込むので、本変形例の光源列ガイド部材は、雨が降る外環境での使用に好適である。
【００６９】
次に、図５を用いて、光源列ガイド部材の第二変形例について説明する。
【００７０】
本変形例の光源列ガイド部材は、可撓性を有する帯状ガイド本体２５と、ＬＥＤ光源を保持する複数の光源保持体２７と、を有して構成されている。
【００７１】
複数の光源保持体２７は、帯状ガイド本体２５の長手方向に沿って、等間隔に、この帯状ガイド本体２５に取り付けられている。光源保持体２７は、紐又は帯状を成し、その一端が帯状ガイド本体２５に取り付けられている。また、光源保持体２７の他端には、係合部２８が設けられている。帯状ガイド本体２５には、この光源保持体２７の一端が取り付けられている位置の近傍に、光源保持体２７の係合部２８が着脱可能に係合する被係合部２６が設けられている。係合部２８と被係合部２６とは、例えば、一対のホックで構成されている。
【００７２】
この光源列ガイド部材を利用する際には、ＬＥＤ光源のベース部分に、紐状又は帯状の光源保持体２７を巻き付け、この光源保持体２７の端に設けられている係合部２８を帯状ガイド本体２５の被係合部２６に係合させる。この結果、ＬＥＤ光源は光源列ガイド部材に保持される。
【００７３】
なお、ここでは、紐状又は帯状の光源保持体２７の係合部２８を、帯状ガイド本体２５の被係合部２６に係合させているが、この光源保持体２７の帯状ガイド本体側の位置に被係合部２８を設け、この被係合部２８に係合させてもよい。さらに、ここでは、光源保持体２７でＬＥＤ光源を保持するために、光源保持体２７に係合部２８を設け、帯状ガイド本体２５又はこの光源保持体２７に被係合部２６を設けているが、これら係合部２８及び被係合部２６を設けず、光源保持体２７の先端部を帯状ガイド本体２５に接着剤で接着してもよいし、光源保持体２７の先端部を、この光源保持体２７の帯状ガイド本体２５側に縛り付けてもよい。
【００７４】
次に、図６を用いて、光源列ガイド部材の第三変形例について説明する。
【００７５】
本変形例の光源列ガイド部材２９は、弾性変形可能でスパイラル状を成している。この光源列ガイド部材２９は、例えば、帯状の樹脂板をスパイラル状に加工して形成されている。この光源列ガイド部材２９は、スパイラル軸の長手方向のいずれの位置でも同一径のスパイラルを成し、自然状態において、ある巻き段部とこれに隣接する巻き段部とは、スパイラル軸の長手方向で接している。
【００７６】
この光源列ガイド部材２９を利用する際には、ある巻き段部２９ａとこれに隣接する巻き段部２９ｂとの間を離し、この間にＬＥＤ光源のベース部分を入れて、このＬＥＤ光源のリード線をスパイラル内に位置させる。この結果、ＬＥＤ光源のベース部は、ある巻き段部２９ａとこれに隣接する巻き段部２９ｂとの間に挟まれ、このＬＥＤ光源は光源列ガイド部材に保持される。
【００７７】
本変形例の光源列ガイド部材は、各ＬＥＤ光源から伸びるリード線をスパイラル内に収めることができるので、何らかの外力がリード線に加わる恐れがある環境での使用に好適である。また、本変形例では、光源列ガイド部材自体の構成が簡易であるため、コストを抑えることができる。
【００７８】
なお、以上では、各ＬＥＤ光源のリード線とは独立した光源列ガイド部材を設ける例を示しているが、本考案は、これに限定されるものではなく、光源列を保持する光源列保持部材として、ＬＥＤ光源のリード線を用いてもよい。この場合、各ＬＥＤ光源のリード線を相互に絡ませることで、光源列を保持する。
【符号の説明】
【００７９】
１：白色ＬＥＤ光源、２〜９，２ｂ〜８ｂ，２ｃ〜６ｃ：有色ＬＥＤ光源、２：ピンク色ＬＥＤ光源、３：紫色ＬＥＤ光源、８：オレンジ色ＬＥＤ光源、１１，１１ａ，１１ｂ，１１ｃ：有色光源列、１２：虹色光源列、２０：シース管、２１：貫通孔、２３，２４：帯状シート、２５：帯状ガイド本体、２６：光源保持体、２９：光源列ガイド部材、３０：コントローラ、３１：主電源回路、３２：有色電源制御回路、３３：白色電源制御回路、３４：制御回路、３５：操作盤
【図１】
0003162826.tif 000003
【図２】
0003162826.tif 000004
【図３】
0003162826.tif 000005
【図４】
0003162826.tif 000006
【図５】
0003162826.tif 000007
【図６】
0003162826.tif 000008